【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
ユーザごとに、認証に用いる認証情報を管理する管理サーバと画像形成装置がネットワークを介して通信可能な情報処理システムであって、
前記管理サーバは、
ユーザ識別情報と対応付けられた、認証情報と前記画像形成装置から登録された認証情報であることを示す情報を含む認証管理情報を管理する管理手段と、
前記画像形成装置から、ユーザ識別情報を含む認証情報取得要求を受信する認証情報取得要求受信手段と、
前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、
前記認証管理情報取得手段で取得した前記画像形成装置で削除可能な認証管理情報の一覧を送信する認証情報送信手段とを備え、
前記画像形成装置は、
ユーザを識別するためのユーザ識別情報を受け付けるユーザ識別情報受付手段と、
前記管理サーバに前記ユーザ識別情報受付手段で受け付けたユーザ識別情報に対応する認証情報の取得を要求する認証情報取得要求を送信する認証管理情報取得要求送信手段と、
前記認証情報取得要求に従って、前記画像形成装置から削除可能な認証管理情報の一覧を前記管理サーバから受信する認証管理情報受信手段と、
前記認証管理情報受信手段によって受信した前記画像形成装置から削除可能な認証管理情報の一覧を表示する表示手段と、
前記表示手段により表示した、前記認証管理情報の削除指示をする認証情報削除指示手段と
を備えることを特徴とする情報処理システム。
【請求項２】
前記画像形成装置は、
画像形成装置に備える読取装置から認証情報を受け付ける認証情報受付手段と、
前記認証情報受付手段で受け付けた認証情報を前記管理サーバに登録指示する認証情報登録指示手段と、
前記認証情報登録指示手段での登録指示に従って、前記認証情報受付手段で受け付けた認証情報と前記ユーザ識別情報受付手段で受け付けたユーザ識別情報とを含む登録情報を前記管理サーバに送信する登録情報送信手段とを更に備え、
前記管理サーバは、
前記認証情報とユーザ識別情報とを含む登録情報を受信する登録情報受信手段と、
前記登録情報受信手段で、前記画像形成装置から前記認証情報とユーザ識別情報とを含む登録情報を受信した場合に、前記画像形成装置から登録された認証情報であることを示す情報と前記認証情報とを対応付けた認証管理情報を登録する登録手段とを更に備えることを特徴とする請求項１に記載の情報処理システム。
【請求項３】
前記画像形成装置は、
認証情報を登録する認証情報登録モードと認証情報を削除する認証情報削除モードを備え、
前記認証情報登録モードの場合に、前記登録情報送信手段を実行し、前記認証情報削除モードの場合に、前記認証情報取得要求送信手段を実行することを特徴とする請求項２に記載の画像形成装置。
【請求項４】
前記管理サーバは、
前記画像形成装置で、前記画像形成装置から登録された認証情報を削除対象とするか、前記画像形成装置から登録された認証情報以外も削除対象とするかを判定する削除対象判定手段を更に備え、
前記認証管理情報取得手段は、前記削除対象判定手段で前記画像形成装置から登録された認証情報を削除対象とすると判定される場合に、前記画像形成装置から登録された認証情報か否かを示す情報に従って、前記画像形成装置で削除可能な認証管理情報を取得し、前記画像形成装置から登録された認証情報以外も削除対象とすると判定される場合に、前記画像形成装置から登録された認証情報を含む全ての認証管理情報を取得し、
認証情報送信手段は、前記認証管理情報取得手段で前記画像形成装置から登録された認証情報を含む全ての認証管理情報を送信し、
前記画像形成装置は、
前記画像形成装置から登録された認証情報を含む全ての認証管理情報を受信した場合に、前記画像形成装置から登録された認証情報に関する認証管理情報と前記画像形成装置から登録された認証情報以外の認証管理情報を識別可能に表示させることを特徴とする請求項１乃至３のいずれか１項に記載の情報処理システム。
【請求項５】
前記認証情報は指に関する生体情報であり、
前記管理サーバは、前記画像形成装置へのログインを許可するための認証サーバと、前記生体情報を管理する生体情報管理サーバであり、
前記認証サーバは、前記生体情報に関する要求を受けた場合には、前記要求に対応する指示を前記生体情報管理サーバへ送信することを特徴とする請求項１乃至４のいずれか１項に記載の情報処理システム。
【請求項６】
前記認証サーバは、前記画像形成装置から前記認証情報とユーザ識別情報とを含む登録情報を受信した場合に、前記前記生体情報管理サーバへ前記画像形成装置から登録された認証情報であることを示す情報を付加して前記認証情報とユーザ識別情報とを含む登録情報を送信することを特徴とする請求項５に記載の情報処理システム。
【請求項７】
ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段とを備える管理サーバとネットワークを介して通信可能な画像形成装置であって、
ユーザを識別するためのユーザ識別情報を受け付けるユーザ識別情報受付手段と、
前記認証情報を前記管理サーバから削除するべく、前記管理サーバに前記ユーザ識別情報受付手段で受け付けたユーザ識別情報に対応する認証情報の取得を要求する認証情報取得要求を送信する認証情報取得要求送信手段と、
前記認証情報取得要求に従って、削除可能な認証管理情報の一覧を前記管理サーバから受信する認証管理情報受信手段と、
前記認証管理情報受信手段によって受信した前記画像形成装置から削除可能な認証管理情報を表示する表示手段と、
前記表示手段により表示した、前記認証管理情報の削除指示をする認証情報削除指示手段と
を備えることを特徴とする画像形成装置。 
【請求項８】
画像形成装置に備える読取装置から認証情報を受け付ける認証情報受付手段と、
前記認証情報受付手段で受け付けた認証情報を前記管理サーバに登録指示する認証情報登録指示手段と、
前記認証情報登録指示手段での登録指示に従って、前記認証情報受付手段で受け付けた認証情報と前記ユーザ識別情報受付手段で受け付けたユーザ識別情報とを含む登録情報を前記管理サーバに送信する登録情報送信手段とを更に備えることを特徴とする請求項７に記載の画像形成装置。
【請求項９】
認証情報を登録する認証情報登録モードと認証情報を削除する認証情報削除モードを備え、
前記認証情報登録モードの場合に、前記登録情報送信手段を実行し、前記認証情報削除モードの場合に、前記認証情報取得要求送信手段を実行することを特徴とする請求項８に記載の画像形成装置。
【請求項１０】
ユーザを識別するためのユーザ識別情報を受け付けるユーザ識別情報受付手段と、管理サーバに前記ユーザ識別情報受付手段で受け付けたユーザ識別情報に対応する認証情報の取得を要求する認証情報取得要求を送信する認証管理情報取得要求送信手段と、前記認証情報取得要求に従って、前記画像形成装置から削除可能な認証管理情報の一覧を前記管理サーバから受信する認証管理情報受信手段と、前記認証管理情報受信手段によって受信した前記画像形成装置から削除可能な認証管理情報の一覧を表示する表示手段と、前記表示手段により表示した、前記認証管理情報の削除指示をする認証情報削除指示手段とを備える画像形成装置とネットワークを介して通信可能な、ユーザごとに認証に用いる認証情報を管理する管理サーバであって、
ユーザ識別情報と対応付けられた、認証情報と前記画像形成装置から登録された認証情報であることを示す情報を含む認証管理情報を管理する管理手段と、
前記画像形成装置から、ユーザ識別情報を含む認証情報取得要求を受信する認証情報取得要求受信手段と、
前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、
前記認証管理情報取得手段で取得した前記画像形成装置で削除可能な認証管理情報の一覧を送信する認証情報送信手段と
を備えることを特徴とする管理サーバ。
【請求項１１】
ユーザごとに、認証に用いる認証情報を管理する管理サーバと画像形成装置がネットワークを介して通信可能な情報処理システムの処理方法であって、
前記管理サーバが、
ユーザ識別情報と対応付けられた、認証情報と前記画像形成装置から登録された認証情報であることを示す情報を含む認証管理情報を管理する管理ステップと、
前記画像形成装置から、ユーザ識別情報を含む認証情報取得要求を受信する認証情報取得要求受信ステップと、
前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得ステップと、
前記認証管理情報取得ステップで取得した前記画像形成装置で削除可能な認証管理情報の一覧を送信する認証情報送信ステップとを実行し、
前記画像形成装置が、
ユーザを識別するためのユーザ識別情報を受け付けるユーザ識別情報受付ステップと、
前記管理サーバに前記ユーザ識別情報受付ステップで受け付けたユーザ識別情報に対応する認証情報の取得を要求する認証情報取得要求を送信する認証管理情報取得要求送信ステップと、
前記認証情報取得要求に従って、前記画像形成装置から削除可能な認証管理情報の一覧を前記管理サーバから受信する認証管理情報受信ステップと、
前記認証管理情報受信ステップによって受信した前記画像形成装置から削除可能な認証管理情報の一覧を表示する表示ステップと、
前記表示ステップにより表示した、前記認証管理情報の削除指示をする認証情報削除指示ステップと
を実行することを特徴とする処理方法。
【請求項１２】
ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段とを備える管理サーバとネットワークを介して通信可能な画像形成装置の処理方法であって、
前記画像形成装置が、
ユーザを識別するためのユーザ識別情報を受け付けるユーザ識別情報受付ステップと、
前記認証情報を前記管理サーバから削除するべく、前記管理サーバに前記ユーザ識別情報受付ステップで受け付けたユーザ識別情報に対応する認証情報の取得を要求する認証情報取得要求を送信する認証情報取得要求送信ステップと、
前記認証情報取得要求に従って、削除可能な認証管理情報の一覧を前記管理サーバから受信する認証管理情報受信ステップと、
前記認証管理情報受信ステップによって受信した前記画像形成装置から削除可能な認証管理情報を表示する表示ステップと、
前記表示ステップにより表示した、前記認証管理情報の削除指示をする認証情報削除指示ステップと
を実行することを特徴とする処理方法。
【請求項１３】
ユーザを識別するためのユーザ識別情報を受け付けるユーザ識別情報受付手段と、管理サーバに前記ユーザ識別情報受付手段で受け付けたユーザ識別情報に対応する認証情報の取得を要求する認証情報取得要求を送信する認証管理情報取得要求送信手段と、前記認証情報取得要求に従って、前記画像形成装置から削除可能な認証管理情報の一覧を前記管理サーバから受信する認証管理情報受信手段と、前記認証管理情報受信手段によって受信した前記画像形成装置から削除可能な認証管理情報の一覧を表示する表示手段と、前記表示手段により表示した、前記認証管理情報の削除指示をする認証情報削除指示手段とを備える画像形成装置とネットワークを介して通信可能な、ユーザごとに認証に用いる認証情報を管理する管理サーバの処理方法であって、
前記管理サーバが、
ユーザ識別情報と対応付けられた、認証情報と前記画像形成装置から登録された認証情報であることを示す情報を含む認証管理情報を管理する管理ステップと、
前記画像形成装置から、ユーザ識別情報を含む認証情報取得要求を受信する認証情報取得要求受信ステップと、
前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得ステップと、
前記認証管理情報取得ステップで取得した前記画像形成装置で削除可能な認証管理情報の一覧を送信する認証情報送信ステップと
を実行することを特徴とする処理方法。
【請求項１４】
ユーザごとに、認証に用いる認証情報を管理する管理サーバと画像形成装置がネットワークを介して通信可能な情報処理システムで実行可能なプログラムであって、
前記管理サーバを、
ユーザ識別情報と対応付けられた、認証情報と前記画像形成装置から登録された認証情報であることを示す情報を含む認証管理情報を管理する管理手段と、
前記画像形成装置から、ユーザ識別情報を含む認証情報取得要求を受信する認証情報取得要求受信手段と、
前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、
前記認証管理情報取得手段で取得した前記画像形成装置で削除可能な認証管理情報の一覧を送信する認証情報送信手段として機能させ、
前記画像形成装置を、
ユーザを識別するためのユーザ識別情報を受け付けるユーザ識別情報受付手段と、
前記管理サーバに前記ユーザ識別情報受付手段で受け付けたユーザ識別情報に対応する認証情報の取得を要求する認証情報取得要求を送信する認証管理情報取得要求送信手段と、
前記認証情報取得要求に従って、前記画像形成装置から削除可能な認証管理情報の一覧を前記管理サーバから受信する認証管理情報受信手段と、
前記認証管理情報受信手段によって受信した前記画像形成装置から削除可能な認証管理情報の一覧を表示する表示手段と、
前記表示手段により表示した、前記認証管理情報の削除指示をする認証情報削除指示手段として機能させることを特徴とするプログラム。
【請求項１５】
ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段とを備える管理サーバとネットワークを介して通信可能な画像形成装置で実行可能なプログラムであって、
前記画像形成装置を、
ユーザを識別するためのユーザ識別情報を受け付けるユーザ識別情報受付手段と、
前記認証情報を前記管理サーバから削除するべく、前記管理サーバに前記ユーザ識別情報受付手段で受け付けたユーザ識別情報に対応する認証情報の取得を要求する認証情報取得要求を送信する認証情報取得要求送信手段と、
前記認証情報取得要求に従って、削除可能な認証管理情報の一覧を前記管理サーバから受信する認証管理情報受信手段と、
前記認証管理情報受信手段によって受信した前記画像形成装置から削除可能な認証管理情報を表示する表示手段と、
前記表示手段により表示した、前記認証管理情報の削除指示をする認証情報削除指示手段として機能させることを特徴とするプログラム。
【請求項１６】
ユーザを識別するためのユーザ識別情報を受け付けるユーザ識別情報受付手段と、管理サーバに前記ユーザ識別情報受付手段で受け付けたユーザ識別情報に対応する認証情報の取得を要求する認証情報取得要求を送信する認証管理情報取得要求送信手段と、前記認証情報取得要求に従って、前記画像形成装置から削除可能な認証管理情報の一覧を前記管理サーバから受信する認証管理情報受信手段と、前記認証管理情報受信手段によって受信した前記画像形成装置から削除可能な認証管理情報の一覧を表示する表示手段と、前記表示手段により表示した、前記認証管理情報の削除指示をする認証情報削除指示手段とを備える画像形成装置とネットワークを介して通信可能な、ユーザごとに認証に用いる認証情報を管理する管理サーバで実行可能なプログラムあって、
前記管理サーバを、
ユーザ識別情報と対応付けられた、認証情報と前記画像形成装置から登録された認証情報であることを示す情報を含む認証管理情報を管理する管理手段と、
前記画像形成装置から、ユーザ識別情報を含む認証情報取得要求を受信する認証情報取得要求受信手段と、
前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、
前記認証管理情報取得手段で取得した前記画像形成装置で削除可能な認証管理情報の一覧を送信する認証情報送信手段として機能させることを特徴とするプログラム。
【手続補正２】
【補正対象書類名】明細書
【補正対象項目名】００１０
【補正方法】変更
【補正の内容】
【００１０】
そこで、本発明の目的は、認証するために用いられる登録された認証情報を削除する際に、画像形成装置で削除可能な認証情報を表示させることで、ユーザによる削除を容易にする仕組みを提供することである。
【手続補正３】
【補正対象書類名】明細書
【補正対象項目名】００１１
【補正方法】変更
【補正の内容】
【００１１】
また、画像形成装置で登録された認証情報と他の装置で登録された認証情報を識別可能に表示させることで、より削除を容易にする仕組みを提供する。
【手続補正４】
【補正対象書類名】明細書
【補正対象項目名】００１２
【補正方法】変更
【補正の内容】
【００１２】
さらに、画像形成装置でユーザごとに認証情報を容易に登録できる仕組みを提供する。
【手続補正５】
【補正対象書類名】明細書
【補正対象項目名】００１３
【補正方法】変更
【補正の内容】
【００１３】
前述した目的を達成するための第１の発明は、ユーザごとに、認証に用いる認証情報を管理する管理サーバと画像形成装置がネットワークを介して通信可能な情報処理システムであって、前記管理サーバは、ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段とを備え、前記画像形成装置は、ユーザを識別するためのユーザ識別情報を受け付けるユーザ識別情報受付手段と、前記管理サーバに前記ユーザ識別情報受付手段で受け付けたユーザ識別情報に対応する認証情報の取得を要求する認証情報取得要求を送信する認証管理情報取得要求送信手段と、前記認証情報取得要求に従って、前記画像形成装置から削除可能な認証管理情報の一覧を前記管理サーバから受信する認証管理情報受信手段と、前記認証管理情報受信手段によって受信した前記画像形成装置から削除可能な認証管理情報の一覧を表示する表示手段と、前記表示手段により表示した、前記認証管理情報の削除指示をする認証情報削除指示手段とを備えることを特徴とする情報処理システム。
【手続補正６】
【補正対象書類名】明細書
【補正対象項目名】００１４
【補正方法】変更
【補正の内容】
【００１４】
また、前記画像形成装置は、画像形成装置に備える読取装置から認証情報を受け付ける認証情報受付手段と、前記認証情報受付手段で受け付けた認証情報を前記管理サーバに登録指示する認証情報登録指示手段と、前記認証情報登録指示手段での登録指示に従って、前記認証情報受付手段で受け付けた認証情報と前記ユーザ識別情報受付手段で受け付けたユーザ識別情報とを含む登録情報を前記管理サーバに送信する登録情報送信手段とを更に備え、前記管理サーバは、前記認証情報とユーザ識別情報とを含む登録情報を受信する登録情報受信手段と、前記登録情報受信手段で、前記画像形成装置から前記認証情報とユーザ識別情報とを含む登録情報を受信した場合に、前記画像形成装置から登録された認証情報であることを示す情報と前記認証情報とを対応付けた認証管理情報を登録する登録手段とを更に備えることを特徴とする情報処理システムである。
【手続補正７】
【補正対象書類名】明細書
【補正対象項目名】００１５
【補正方法】変更
【補正の内容】
【００１５】
また、前記画像形成装置は、認証情報を登録する認証情報登録モードと認証情報を削除する認証情報削除モードを備え、前記認証情報登録モードの場合に、前記登録情報送信手段を実行し、前記認証情報削除モードの場合に、前記認証情報取得要求送信手段を実行することを特徴とする画像形成装置である。
【手続補正８】
【補正対象書類名】明細書
【補正対象項目名】００１６
【補正方法】変更
【補正の内容】
【００１６】
また、前記管理サーバは、前記画像形成装置で、前記画像形成装置から登録された認証情報を削除対象とするか、前記画像形成装置から登録された認証情報以外も削除対象とするかを判定する削除対象判定手段を更に備え、前記認証管理情報取得手段は、前記削除対象判定手段で前記画像形成装置から登録された認証情報を削除対象とすると判定される場合に、前記画像形成装置から登録された認証情報か否かを示す情報に従って、前記画像形成装置で削除可能な認証管理情報を取得し、前記画像形成装置から登録された認証情報以外も削除対象とすると判定される場合に、前記画像形成装置から登録された認証情報を含む全ての認証管理情報を取得し、認証情報送信手段は、前記認証管理情報取得手段で前記画像形成装置から登録された認証情報を含む全ての認証管理情報を送信し、前記画像形成装置は、前記画像形成装置から登録された認証情報を含む全ての認証管理情報を受信した場合に、前記画像形成装置から登録された認証情報に関する認証管理情報と前記画像形成装置から登録された認証情報以外の認証管理情報を識別可能に表示させることを特徴とする情報処理システムである。
【手続補正９】
【補正対象書類名】明細書
【補正対象項目名】００１７
【補正方法】変更
【補正の内容】
【００１７】
また、前記認証情報は指に関する生体情報であり、前記管理サーバは、前記画像形成装置へのログインを許可するための認証サーバと、前記生体情報を管理する生体情報管理サーバであり、前記認証サーバは、前記生体情報に関する要求を受けた場合には、前記要求に対応する指示を前記生体情報管理サーバへ送信することを特徴とする情報処理システムである。
【手続補正１０】
【補正対象書類名】明細書
【補正対象項目名】００１８
【補正方法】変更
【補正の内容】
【００１８】
また、前記認証サーバは、前記画像形成装置から前記認証情報とユーザ識別情報とを含む登録情報を受信した場合に、前記前記生体情報管理サーバへ前記画像形成装置から登録された認証情報であることを示す情報を付加して前記認証情報とユーザ識別情報とを含む登録情報を送信することを特徴とする情報処理システムである。
【手続補正１１】
【補正対象書類名】明細書
【補正対象項目名】００１９
【補正方法】変更
【補正の内容】
【００１９】
第２の発明は、ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段とを備える管理サーバとネットワークを介して通信可能な画像形成装置であって、ユーザを識別するためのユーザ識別情報を受け付けるユーザ識別情報受付手段と、前記認証情報を前記管理サーバから削除するべく、前記管理サーバに前記ユーザ識別情報受付手段で受け付けたユーザ識別情報に対応する認証情報の取得を要求する認証情報取得要求を送信する認証情報取得要求送信手段と、前記認証情報取得要求に従って、削除可能な認証管理情報の一覧を前記管理サーバから受信する認証管理情報受信手段と、前記認証管理情報受信手段によって受信した前記画像形成装置から削除可能な認証管理情報を表示する表示手段と、前記表示手段により表示した、前記認証管理情報の削除指示をする認証情報削除指示手段とを備えることを特徴とする画像形成装置である。
【手続補正１２】
【補正対象書類名】明細書
【補正対象項目名】００２０
【補正方法】変更
【補正の内容】
【００２０】
また、画像形成装置に備える読取装置から認証情報を受け付ける認証情報受付手段と、前記認証情報受付手段で受け付けた認証情報を前記管理サーバに登録指示する認証情報登録指示手段と、前記認証情報登録指示手段での登録指示に従って、前記認証情報受付手段で受け付けた認証情報と前記ユーザ識別情報受付手段で受け付けたユーザ識別情報とを含む登録情報を前記管理サーバに送信する登録情報送信手段とを更に備えることを特徴とする画像形成装置である。
【手続補正１３】
【補正対象書類名】明細書
【補正対象項目名】００２１
【補正方法】変更
【補正の内容】
【００２１】
また、認証情報を登録する認証情報登録モードと認証情報を削除する認証情報削除モードを備え、前記認証情報登録モードの場合に、前記登録情報送信手段を実行し、前記認証情報削除モードの場合に、前記認証情報取得要求送信手段を実行することを特徴とする画像形成装置である。
【手続補正１４】
【補正対象書類名】明細書
【補正対象項目名】００２２
【補正方法】変更
【補正の内容】
【００２２】
第３の発明は、ユーザを識別するためのユーザ識別情報を受け付けるユーザ識別情報受付手段と、管理サーバに前記ユーザ識別情報受付手段で受け付けたユーザ識別情報に対応する認証情報の取得を要求する認証情報取得要求を送信する認証管理情報取得要求送信手段と、前記認証情報取得要求に従って、前記画像形成装置から削除可能な認証管理情報の一覧を前記管理サーバから受信する認証管理情報受信手段と、前記認証管理情報受信手段によって受信した前記画像形成装置から削除可能な認証管理情報の一覧を表示する表示手段と、前記表示手段により表示した、前記認証管理情報の削除指示をする認証情報削除指示手段とを備える画像形成装置とネットワークを介して通信可能な、ユーザごとに認証に用いる認証情報を管理する管理サーバであって、ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段とを備えることを特徴とする管理サーバである。
【手続補正１５】
【補正対象書類名】明細書
【補正対象項目名】００２３
【補正方法】変更
【補正の内容】
【００２３】
第４の発明は、ユーザごとに、認証に用いる認証情報を管理する管理サーバと画像形成装置がネットワークを介して通信可能な情報処理システムの処理方法であって、前記管理サーバが、ユーザ識別情報と対応付けられた、認証情報と前記画像形成装置から登録された認証情報であることを示す情報を含む認証管理情報を管理する管理ステップと、前記画像形成装置から、ユーザ識別情報を含む認証情報取得要求を受信する認証情報取得要求受信ステップと、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得ステップと、前記認証管理情報取得ステップで取得した前記画像形成装置で削除可能な認証管理情報の一覧を送信する認証情報送信ステップとを実行し、前記画像形成装置が、ユーザを識別するためのユーザ識別情報を受け付けるユーザ識別情報受付ステップと、前記管理サーバに前記ユーザ識別情報受付ステップで受け付けたユーザ識別情報に対応する認証情報の取得を要求する認証情報取得要求を送信する認証管理情報取得要求送信ステップと、前記認証情報取得要求に従って、前記画像形成装置から削除可能な認証管理情報の一覧を前記管理サーバから受信する認証管理情報受信ステップと、前記認証管理情報受信ステップによって受信した前記画像形成装置から削除可能な認証管理情報の一覧を表示する表示ステップと、前記表示ステップにより表示した、前記認証管理情報の削除指示をする認証情報削除指示ステップとを実行することを特徴とする処理方法である。
【手続補正１６】
【補正対象書類名】明細書
【補正対象項目名】００２４
【補正方法】変更
【補正の内容】
【００２４】
第５の発明は、ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段とを備える管理サーバとネットワークを介して通信可能な画像形成装置の処理方法であって、前記画像形成装置が、ユーザを識別するためのユーザ識別情報を受け付けるユーザ識別情報受付ステップと、前記認証情報を前記管理サーバから削除するべく、前記管理サーバに前記ユーザ識別情報受付ステップで受け付けたユーザ識別情報に対応する認証情報の取得を要求する認証情報取得要求を送信する認証情報取得要求送信ステップと、前記認証情報取得要求に従って、削除可能な認証管理情報の一覧を前記管理サーバから受信する認証管理情報受信ステップと、前記認証管理情報受信ステップによって受信した前記画像形成装置から削除可能な認証管理情報を表示する表示ステップと、前記表示ステップにより表示した、前記認証管理情報の削除指示をする認証情報削除指示ステップとを実行することを特徴とする処理方法。
【手続補正１７】
【補正対象書類名】明細書
【補正対象項目名】００２５
【補正方法】変更
【補正の内容】
【００２５】
第６の発明は、ユーザを識別するためのユーザ識別情報を受け付けるユーザ識別情報受付手段と、管理サーバに前記ユーザ識別情報受付手段で受け付けたユーザ識別情報に対応する認証情報の取得を要求する認証情報取得要求を送信する認証管理情報取得要求送信手段と、前記認証情報取得要求に従って、前記画像形成装置から削除可能な認証管理情報の一覧を前記管理サーバから受信する認証管理情報受信手段と、前記認証管理情報受信手段によって受信した前記画像形成装置から削除可能な認証管理情報の一覧を表示する表示手段と、前記表示手段により表示した、前記認証管理情報の削除指示をする認証情報削除指示手段とを備える画像形成装置とネットワークを介して通信可能な、ユーザごとに認証に用いる認証情報を管理する管理サーバの処理方法であって、前記管理サーバが、ユーザ識別情報と対応付けられた、認証情報と前記画像形成装置から登録された認証情報であることを示す情報を含む認証管理情報を管理する管理ステップと、前記画像形成装置から、ユーザ識別情報を含む認証情報取得要求を受信する認証情報取得要求受信ステップと、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得ステップと、前記認証管理情報取得ステップで取得した前記画像形成装置で削除可能な認証管理情報の一覧を送信する認証情報送信ステップとを実行することを特徴とする処理方法である。
【手続補正１８】
【補正対象書類名】明細書
【補正対象項目名】００２６
【補正方法】変更
【補正の内容】
【００２６】
第７の発明は、ユーザごとに、認証に用いる認証情報を管理する管理サーバと画像形成装置がネットワークを介して通信可能な情報処理システムで実行可能なプログラムであって、前記管理サーバを、ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段として機能させ、前記画像形成装置を、ユーザを識別するためのユーザ識別情報を受け付けるユーザ識別情報受付手段と、前記管理サーバに前記ユーザ識別情報受付手段で受け付けたユーザ識別情報に対応する認証情報の取得を要求する認証情報取得要求を送信する認証管理情報取得要求送信手段と、前記認証情報取得要求に従って、前記画像形成装置から削除可能な認証管理情報の一覧を前記管理サーバから受信する認証管理情報受信手段と、前記認証管理情報受信手段によって受信した前記画像形成装置から削除可能な認証管理情報の一覧を表示する表示手段と、前記表示手段により表示した、前記認証管理情報の削除指示をする認証情報削除指示手段として機能させることを特徴とするプログラムである。
【手続補正１９】
【補正対象書類名】明細書
【補正対象項目名】００２７
【補正方法】変更
【補正の内容】
【００２７】
第８の発明は、ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段とを備える管理サーバとネットワークを介して通信可能な画像形成装置で実行可能なプログラムであって、前記画像形成装置を、ユーザを識別するためのユーザ識別情報を受け付けるユーザ識別情報受付手段と、前記認証情報を前記管理サーバから削除するべく、前記管理サーバに前記ユーザ識別情報受付手段で受け付けたユーザ識別情報に対応する認証情報の取得を要求する認証情報取得要求を送信する認証情報取得要求送信手段と、前記認証情報取得要求に従って、削除可能な認証管理情報の一覧を前記管理サーバから受信する認証管理情報受信手段と、前記認証管理情報受信手段によって受信した前記画像形成装置から削除可能な認証管理情報を表示する表示手段と、前記表示手段により表示した、前記認証管理情報の削除指示をする認証情報削除指示手段として機能させることを特徴とするプログラムである。
【手続補正２０】
【補正対象書類名】明細書
【補正対象項目名】００２８
【補正方法】変更
【補正の内容】
【００２８】
第９の発明は、ユーザを識別するためのユーザ識別情報を受け付けるユーザ識別情報受付手段と、管理サーバに前記ユーザ識別情報受付手段で受け付けたユーザ識別情報に対応する認証情報の取得を要求する認証情報取得要求を送信する認証管理情報取得要求送信手段と、前記認証情報取得要求に従って、前記画像形成装置から削除可能な認証管理情報の一覧を前記管理サーバから受信する認証管理情報受信手段と、前記認証管理情報受信手段によって受信した前記画像形成装置から削除可能な認証管理情報の一覧を表示する表示手段と、前記表示手段により表示した、前記認証管理情報の削除指示をする認証情報削除指示手段とを備える画像形成装置とネットワークを介して通信可能な、ユーザごとに認証に用いる認証情報を管理する管理サーバで実行可能なプログラムあって、前記管理サーバを、ユーザ識別情報と対応付けられた、認証情報と前記画像形成装置から登録された認証情報であることを示す情報を含む認証管理情報を管理する管理手段と、前記画像形成装置から、ユーザ識別情報を含む認証情報取得要求を受信する認証情報取得要求受信手段と、前記画像形成装置で削除可能にするべく、前記ユーザ識別情報と、前記画像形成装置から登録された認証情報であることを示す情報に従って、前記画像形成装置から登録された認証情報に対応する認証管理情報を取得する認証管理情報取得手段と、前記認証管理情報取得手段で取得した前記画像形成装置で削除可能な認証管理情報の一覧を送信する認証情報送信手段として機能させることを特徴とするプログラムである。
【手続補正２１】
【補正対象書類名】明細書
【補正対象項目名】００２９
【補正方法】変更
【補正の内容】
【００２９】
本発明によれば、認証するために用いられる登録された認証情報をメンテナンスする際に、画像形成装置で削除可能な認証情報を表示させることで、ユーザによる削除を容易にする仕組みを提供することができる。
【手続補正２２】
【補正対象書類名】明細書
【補正対象項目名】００３０
【補正方法】変更
【補正の内容】
【００３０】
また、画像形成装置で登録された認証情報と他の装置で登録された認証情報を識別可能に表示させることで、より削除を容易にする仕組みを提供することができる。
【手続補正２３】
【補正対象書類名】明細書
【補正対象項目名】００３１
【補正方法】変更
【補正の内容】
【００３１】
さらに、画像形成装置でユーザごとに認証情報を容易に登録できる仕組みを提供することができる。